(57)【要約】      （修正有）【課題】レーザ加工機のレーザヘッドのレンズ機能回復キットにおいて、手元にあるキットにて手軽にレンズ機能を回復させ、レンズ交換時期を遅らせて経費の低減化、及び加工コストの低減化等を達成できるようにしたレンズ機能回復キットを提供する。【解決手段】外容器１４に、少なくとも、レンズ研磨剤１１と、研磨布１２と、繊維塊１３とを収容したことを特徴とし、切り口にバリが出始めたタイミングにてレンズ３を手軽に研磨してレンズ機能を簡易に回復できるように構成した。特に、前記レンズ研磨剤１１が酸化セリウム又は酸化珪素の微粒子を含むペースト状物であると良い。さらに、前記研磨布１２が皮革片又は人工皮革片であるとよい。さらにまた、前記繊維塊１３が玉状に丸めたものであるとよい。【選択図】図１
2006263839.tif 000002
【特許請求の範囲】
【請求項１】
レーザ加工機のレーザヘッドのレンズ機能回復キットであって、外容器に少なくとも、レンズ研磨剤と、研磨布と、繊維塊とを収容したことを特徴とするレンズ機能回復キット。
【請求項２】
前記レンズ研磨剤が、酸化セリウム又は酸化珪素の微粒子を含むペースト状物であることを特徴とする請求項１に記載のレンズ機能回復キット。
【請求項３】
前記研磨布が、皮革片又は人工皮革片であることを特徴とする請求項１又は２に記載のレンズ機能回復キット。
【請求項４】
前記繊維塊が、玉状に丸めたものであることを特徴とする請求項１〜３のうちの１に記載のレンズ機能回復キット。
【発明の詳細な説明】
【技術分野】
【０００１】
本発明は、レーザ加工機のレーザヘッドに用いるレンズを繰返し使用可能にしたレンズ機能回復キットに関するものである。
【背景技術】
【０００２】
一般にレーザ加工機は、レーザ光をレンズを介して微少なスポットに集中させ、極めてエネルギー密度の高い熱源を出力するもので、６ｍｍ厚以下の鋼板であれば短時間かつ高精度に加工（切断）できるものである。このレーザ光を集中させるために使用されるレンズは、特開２００４−３２２１２７に記載の如く、レーザ光により経時的に侵されることから漸次レンズ機能が低下し、ひいては切れ味を悪くした。
【０００３】
上記レーザヘッドに用いるレンズのレンズ機能の低下は、鋼板の加工精度の障害、たとえば、切り口にバリが出るようになることにより知れるため、そのタイミングでレンズを新しいものと交換する必要があった。このレンズ交換は通常の使用頻度で、しかも、加工品質を重視するときは、３カ月毎に定期的に行われるのが普通であった。
【特許文献１】特開２００４−３２２１２７
【発明の開示】
【発明が解決しようとする課題】
【０００４】
しかしながら、レーザ加工機のレーザヘッドに用いられるレンズは、高価であり、３カ月毎の交換は、経営上の経費の嵩みや加工コストの高騰を招く原因となり、したがって、通常の使用頻度で加工品質を落とさずにレンズ交換時期を可及的に遅らせたいとの要求が高いものであった。
【０００５】
本発明は、上記の点を満足するためのもので、その目的とするところは、鋼板の切れ味を良好に保ちながら、手元にあるキットにて手軽にレンズ機能を回復させ、レンズ交換時期を遅らせて経費の低減化、及び加工コストの低減化等を達成できるようにしたレンズ機能回復キットを提供することにある。
【課題を解決するための手段】
【０００６】
上記目的を達成するため、本発明は、レーザ加工機のレーザヘッドのレンズ機能回復キットであって、外容器に少なくとも、レンズ研磨剤と、研磨布と、繊維塊とを収容したことを特徴とし、切り口にバリが出始めたタイミングにてレンズを手軽に研磨してレンズ機能を簡易に回復できるように構成した。
【０００７】
また、請求項２に記載の発明は、前記レンズ研磨剤が酸化セリウム又は酸化珪素の微粒子を含むペースト状物であることを特徴とし、レンズ研磨剤を医学的無害にして取扱い易くなるように構成した。
【０００８】
さらに、請求項３に記載の発明は、前記研磨布が皮革片又は人工皮革片であることを特徴とし、皮革又は人工皮革のバックスキン面を利用して研磨効率をよくできるように構成した。
【０００９】
さらに、請求項４に記載の発明は、前記繊維塊が、玉状に丸めたものであることを特徴とし、仕上げ研磨及びその研磨後にレンズ面やレンズと周枠との角部に残るペースト粕の拭き取り（吸着）を効率よく行えるように構成した。
【発明の効果】
【００１０】
本発明によれば、レーザ加工機のレーザヘッドを通したレーザ光による鋼板の切れ味が悪くなり始めたタイミングにて、手元に備えた外容器から取り出したレンズ研磨剤、研磨布及び繊維塊を駆使することにより手軽にレンズ機能を回復させることが可能となる。したがって、レンズは長期安定して繰返し使用できるため、レンズ交換を遅らせることにより経費の大幅節減と加工コストの低減化等に寄与できるという優れた効果を奏するものである。
【００１１】
また、請求項２に記載の発明によれば、レンズ研磨剤を医学的無害にして取扱い易くなるため、レーザ加工業者に広く普及できるようになるという優れた効果を奏するものである。
【００１２】
さらに、請求項３に記載の発明によれば、皮革片又は人工皮革片のバックスキン面を利用して研磨効率を高めることができ、レンズ機能回復までの研磨作業に時間がかからず、しかも研磨によってレンズを二次的に傷付けるおそれがないという優れた効果を奏するものである。
【００１３】
さらにまた、請求項４に記載の発明によれば、仕上げ研磨及びその研磨後にレンズ面やレンズと周枠との角部に残るペースト粕の拭き取り吸着が効率よく行えるため、ペースト残渣による機能の低下のおそれもないという優れた効果を奏するものである。
【発明を実施するための最良の形態】
【００１４】
次に、本発明の実施形態を図面に基づいて説明する。図１は本願キットの内容を概略的に示す外容器の正面断面図、図２はレンズを塗布研磨している状態を示す斜視図、図３はレンズの研磨作業の手順を示し、（ａ）はペースト掬い取り時、（ｂ）はレンズ塗布及び研磨時、（ｃ）は仕上げ及び拭き取り時、図４はレーザ加工機のレーザヘッドを示す正面断面図である。
【００１５】
レーザ加工機のレーザヘッドを図４に示す。このレーザヘッド１には、レーザ発生装置（図示せず）から発生したレーザ光Ｒを被加工物（例えば鋼板）２へ集光させるためのレンズ３が格納されている。該レンズ３は前記レーザヘッド１に設けた格納部４に格納されているが、該格納部４を開放することによりヘッド外に取り出すことができるようになっている。
【００１６】
前記レーザヘッド１は、図示しない昇降装置により昇降し、レーザ光Ｒを被加工物２上に微少なスポットに集中させて照射できるようになっている。また、レーザヘッド１の下端には熱伝導性のよい材料（たとえば銅材）により成形されたノズル５が着脱（交換）可能に取付られている。該ノズル５はレーザ光Ｒを微少なスポットに集中させるために寄与するもので、常にレーザ光に晒されているとともに、レーザ加工中のスパッタの飛散を受けることから先端孔５′が変形し易いものである。
【００１７】
前記レンズ３は、周枠３ａ内に固定され、前記格納部４に安定的に設置されている。該レンズ３はその上面中央部がレンズ面３ｂになっている。該レンズ面３ｂはレーザ光により侵されるため、僅かであるが経時的に変形し、微少なスポットに集中させる機能、すなわちレンズ機能が低下するものである。
【００１８】
図１は前述の如くレンズ機能が低下したレンズ３のレンズ機能を回復させるための本願キット１０を略示的に示す。本願キット１０は、少なくとも、レンズ研磨剤１１と、研磨布１２と、繊維塊１３とをセットとして外容器１４に収容してなる。この外容器１４には前記繊維塊１３を把持するためのピンセット１５を収容しておくこともあるし、その他必要なものがあれば収容することは自由である。
【００１９】
前記外容器１４は、通常、プラスチックからなる箱本体１４ａと、これにヒンジ結合した蓋体１４ｂとからなる。蓋体１４ｂは箱本体１４ａにヒンジ結合していなくてもよいことは勿論である。前記箱本体１４ａと蓋体１４ｂは透明性の素材で作成し、外部から収納量などの確認ができるようにしておくとよい。
【００２０】
前記レンズ研磨剤１１は、レンズの製造段階で研磨のために使用する研磨剤を用いて好適である。例えば、前記レンズ３がジンクセレンからなるものであれば、酸化セリウム又は酸化珪素からなる微粒子を含む研磨剤が用いられる。この場合の素材は、比較的細かい微粒子（０．０１８ｍｍφ）中に、少量の粗い微粒子（０．００２ｍｍφ）を加え、より研磨効率が得られるように工夫している。尤も、酸化セリウム又は酸化珪素からなる微粒子を含む研磨剤の場合は、現在使用されているレーザ加工機のレーザヘッドに用いられている総てのレンズに対応できる。また、前記素材は水などの液体に解いてペースト状にして小容器１６に収容しておくとよい。
【００２１】
前記小容器１６に収容したレンズ研磨剤１１は、１回の研磨に約１ｇを使用すると仮定して約３０ｇ（ほぼ３０回分）が収容されている。該レンズ研磨剤１１を収容する小容器１６はガラス瓶１６ａと蓋体１６ｂとからなり、ガラス瓶１６ａは研磨剤１１の掬い取りがし易くなるように開口部を大きくしている。
【００２２】
前記研磨布１２は、前記レンズ研磨剤１１を、図３（ａ）の如く、小容器１６のガラス瓶９ａから掬いとって図２の如く、レンズ３への塗布及び研磨のために使用するものである。この研磨布１２は皮革片又は人工皮革片で構成するとよい。勿論、他の素材で構成することを制限しない。大きさは２０×２０ｍｍ角（丸でもよい）程度が扱い易い。枚数は研磨１回につき、１枚使用するとして３０枚程度を用意しておくことが適当である。この研磨布１２として、皮革片又は人工皮革片が良いのは、そのバックスキン面（裏面）が研磨のために特に都合よいからである。すなわち、バックスキン面は極めて柔軟にして繊細な繊維が無数に起毛されている如く存在し、研磨効率がよく、しかも、起毛部分に柔らさのために研磨によってレンズ３のレンズ面を二次的に傷付けるおそれもない。
【００２３】
前記繊維塊１３は、前記レンズ研磨剤１１を研磨布１２にとって研磨した後、レンズ面３ｂやレンズ３と周枠３ａとの角部３ａ′に残るペースト粕を拭い取るために使用されるものである。この繊維塊１３は、玉状に丸めて構成するとよい。すなわち、無数の繊維端が球面に表れ、レンズ面にソフトに当たるので仕上げ研磨のために相応しいし、ペースト粕の吸着性（繊維間への取り込み力）がよく、研磨後のレンズ面の透明度をより高め得るものである。繊維塊の大きさは約１０ｍｍφ程度のものでよく、１回の作業で平均３個を使用するとして１００個程度用意しておくとよい。
【００２４】
前記繊維塊１３はピンセット１５で摘まんで図３（ｃ）の如く払拭作業するとよい。すなわち、レンズ３と周枠３ａとの角部３ａ′に残るペースト粕には指先で摘んだ操作では届き難いためである。
【００２５】
次に、本願キット１０を用いたレンズの研磨手順について説明する。まず、レーザ加工機に用いたレンズの切れ味が悪くなったことを、鋼板の切断縁にバリが出たことにより確認した。これに基づき、レーザヘッド１の格納部４よりレンズ３を取り出す。次いで、前記外容器１４よりレンズ研磨剤１１を収容した小容器１６を取り出すとともに、収容研磨布１２を１枚取り出す。
【００２６】
次いで、研磨布１２を手指で摘まみ、前記小容器１６の瓶中のレンズ研磨剤１１を、図３（ａ）の如く、掬い取って、図２の如く、レンズ３へ塗布するとともに、図３（ｂ）の如く、レンズ面３ｂの球面に沿って研磨する。ここに使用する前記レンズ研磨剤１１は、レンズ製造時の研磨剤と同じもの（たとえば、酸化セリウム又は酸化珪素からなる微粒子を含む研磨剤）で構成されているため、レンズの僅かな傷や変形を正しく修正することが可能となる。
【００２７】
次に、前記外容器１４より繊維塊１３を取り出し、外容器１４内に収納してあったピンセット１５を用いて摘み、前述の如く、研磨布１２で研磨した後にレンズ面３ｂやレンズ３と周枠３ａとの角部３ａ′に残るペースト粕を、図３（ｃ）の如く、拭き取る。この拭き取りに繊維塊１３がヘタッタたり、ペースト粕が繊維間に満タンになったときは、外容器１４より新しい１個を取り出し、交換して継続し、更に、ヘタッタときは外容器１４より更に新しい１個を取り出して継続するようにするとよい。
【００２８】
上記研磨布１２の研磨と、繊維塊１３による仕上げ作業を行ったことにより、レンズ３は再び良好な切れ味を回復するようになる。したがって、研磨によりレンズ交換時期が遅くなる結果、経費の低減化、及び加工コストの低減化が達成できるようになる。
【実施例】
【００２９】
今、レーザ加工機に用いたレンズの切れ味が悪くなったことを、鋼板の切断縁にバリが出たことにより確認し、該レンズ３をレーザヘッド１の格納部４より取り出し、前述の如く次の条件にて研磨及び仕上げ作業を行い、該レンズ３を再びレーザヘッド１の格納部４に戻して切れ味の回復度を調べたところ次の結果を得た。
（１）レンズ  ジンクセレン製
（２）研磨剤  酸化セリウム又は酸化珪素からなる微粒子（０．０１８ｍｍφ粒子中に、
０．００２ｍｍφの粒子を加えたもの）
（３）研磨布  人工皮革片（バックスキン面使用）
（４）繊維塊  レーヨン繊維
（結果）鋼板の切断縁からバリが消失した。
【産業上の利用可能性】
【００３０】
本願キッドを備えておくことにより、レーザ加工機のレーザヘッドに用いるレンズの機能が低下したタイミングで、該レンズ３の研磨及び研磨粕の拭き取りにより繰返し使用を可能にし、レンズの交換を遅らせ経費及び加工コストの低減化が達成できるようになるものである。
【図面の簡単な説明】
【００３１】
【図１】本願キットの内容を概略的に示す外容器の正面断面図である。
【図２】レンズを塗布研磨している状態を示す斜視図である。
【図３】レンズの研磨作業の手順を示し、（ａ）はペースト掬い取り時、（ｂ）はレンズ塗布及び研磨時、（ｃ）は仕上げ及び拭き取り時である。
【図４】レーザ加工機のレーザヘッドを示す正面断面図である。
【符号の説明】
【００３２】
１  レーザヘッド
２  被加工物（例えば鋼板）
３  レンズ
３ａ  周枠
３ａ′  角部
３ｂ  レンズ面
４  格納部
５  ノズル
１０  本願キット
１１  レンズ研磨剤
１２  研磨布
１３  繊維塊
１４  外容器
１４ａ  箱本体
１４ｂ  蓋体
１５  ピンセット
１６  小容器
１６ａ  ガラス瓶
１６ｂ  蓋体
Ｒ  レーザ光
【図１】
2006263839.tif 000003
【図２】
2006263839.tif 000004
【図３】
2006263839.tif 000005
【図４】
2006263839.tif 000006